(57)【要約】【課題】検体中の上皮細胞の種類の特定に有用な情報を得ることができる検体分析方法および検体分析装置を提供する。【解決手段】試料調製部は、尿検体と試薬とを混合して測定試料を調製する。試料調製部によって調製された測定試料は、フローセル２０５に流される。半導体レーザ２０１は、フローセル２０５を流れる測定試料に直線偏光の光を照射する。フォトマルチプライヤ２１５は、測定試料中の粒子が照射されることにより生じる側方散乱光のうち、偏光フィルタ２１４を通過し、測定試料に照射される照射光とは異なる偏光状態の側方散乱光（偏光解消側方散乱光）を検出する。情報処理装置は、偏光解消側方散乱光信号の面積（ＰＳＳＣＡ）の相違に基づいて、測定試料に含まれる上皮細胞を、扁平上皮細胞と、尿細管上皮細胞と、卵円形脂肪体に分類する。【選択図】図３
2015049066.tif 000002
【特許請求の範囲】
【請求項１】
検体と試薬とを混合して調製された測定試料をフローセルに流し、
フローセルを流れる測定試料に対して直線偏光の光を照射し、
測定試料中の粒子が照射されることにより生じる光を検出し、
検出した光から、各粒子に基づく偏光状態を反映する第１パラメータを取得し、
前記第１パラメータの相違に基づいて、測定試料に含まれる上皮細胞を解析する、
ことを特徴とする検体分析方法。
【請求項２】
請求項１に記載の検体分析方法において、
前記光の検出では、測定試料に照射される照射光が測定試料中の粒子によって散乱した散乱光であって、前記照射光とは異なる偏光状態の散乱光が検出される、
ことを特徴とする検体分析方法。
【請求項３】
請求項２に記載の検体分析方法において、
前記照射光の偏光方向は、前記照射光の照射位置における前記測定試料の流れ方向に平行となっており、
前記散乱光の検出は、前記流れ方向に垂直な偏光成分の光を検出することである、
ことを特徴とする検体分析方法。
【請求項４】
請求項１ないし３の何れか一項に記載の検体分析方法において、
前記光の検出は、測定試料中の粒子から発せられ、前記照射光の偏光方向とは異なる偏光方向の光を透過する偏光フィルタを介して行われることを含む、
ことを特徴とする検体分析方法。
【請求項５】
請求項１ないし４の何れか一項に記載の検体分析方法において、
測定試料中の粒子が照射されることにより生じる散乱光から、各粒子の大きさを反映する第２パラメータをさらに取得し、
上皮細胞の解析は、前記第１および第２パラメータに基づいて行われる、
ことを特徴とする検体分析方法。
【請求項６】
請求項１ないし５の何れか一項に記載の検体分析方法において、
前記検体は尿検体であり、
上皮細胞は、少なくとも、扁平上皮細胞と尿細管上皮細胞に分類される、
ことを特徴とする検体分析方法。
【請求項７】
請求項１ないし６の何れか一項に記載の検体分析方法において、
前記検体は尿検体であり、
上皮細胞は、扁平上皮細胞と、尿細管上皮細胞と、卵円形脂肪体とに分類される、
ことを特徴とする検体分析方法。
【請求項８】
検体と試薬とを混合して測定試料を調製する試料調製部と、
前記試料調製部によって調製された測定試料が流れるフローセルと、
前記フローセルを流れる測定試料に直線偏光の光を照射する照射ユニットと、
測定試料中の粒子が照射されることにより生じる光であって、前記測定試料に照射される照射光とは異なる偏光状態の光を検出する検出部と、
前記検出部による検出結果から、各粒子に基づく偏光状態を反映する第１パラメータを取得し、当該第１パラメータの相違に基づいて、測定試料に含まれる上皮細胞を解析する解析部と、を備える、
ことを特徴とする検体分析装置。
【請求項９】
請求項８に記載の検体分析装置において、
前記検出部は、測定試料に照射される照射光が測定試料中の粒子によって散乱した散乱光であって、前記照射光とは異なる偏光状態の散乱光を検出する、
ことを特徴とする検体分析装置。
【請求項１０】
請求項９に記載の検体分析装置において、
前記照射光の偏光方向は、前記照射光の照射位置における前記測定試料の流れ方向に平行となっており、
前記検出部は、前記流れ方向に垂直な偏光成分の光を検出する、
ことを特徴とする検体分析装置。
【請求項１１】
請求項８ないし１０の何れか一項に記載の検体分析装置において、
前記検出部は、測定試料中の粒子から発せられ、前記照射光の偏光方向とは異なる偏光方向の光を透過する偏光フィルタを介して前記光を検出する、
ことを特徴とする検体分析装置。
【請求項１２】
請求項８ないし１１の何れか一項に記載の検体分析装置において、
測定試料中の粒子が照射されることにより生じる散乱光を検出する他の検出部をさらに備え、
前記解析部は、前記他の検出部による検出結果から、各粒子の大きさを反映する第２パラメータをさらに取得し、前記第１パラメータおよび当該第２パラメータに基づいて、上皮細胞の解析を行う、
ことを特徴とする検体分析装置。
【請求項１３】
請求項８ないし１２の何れか一項に記載の検体分析装置において、
前記検体は尿検体であり、
前記解析部は、上皮細胞を、少なくとも、扁平上皮細胞と尿細管上皮細胞に分類する、ことを特徴とする検体分析装置。
【請求項１４】
請求項８ないし１３の何れか一項に記載の検体分析装置において、
前記検体は尿検体であり、
前記解析部は、上皮細胞を、扁平上皮細胞と、尿細管上皮細胞と、卵円形脂肪体とに分類する、
ことを特徴とする検体分析装置。
【発明の詳細な説明】
【技術分野】
【０００１】
本発明は、検体から調製された測定試料に光を照射して光学情報を取得し、取得した光学情報に基づいて検体の分析を行う検体分析方法および検体分析装置に関する。
【背景技術】
【０００２】
従来、フローサイトメータによって尿検体に含まれる粒子を検出する技術が知られている。たとえば、特許文献１には、フローサイトメータによって試料中の粒子から前方散乱光および蛍光を検出し、いくつかのパラメータを組み合わせることで、尿中の上皮細胞を表層型扁平上皮細胞と、表層型扁平上皮細胞以外の上皮細胞の２つの集団に分類する技術が開示されている。
【０００３】
上記特許文献によれば、表層型扁平上皮細胞以外の上皮細胞は、炎症や疾患などの場合にのみ出現し、健常人の尿試料中にはほとんど見られない細胞である。一方、表層型扁平上皮細胞は、健常人の尿試料中にも多数みられる細胞である。
【０００４】
そこで、上記特許文献では、表層型扁平上皮細胞以外の上皮細胞が、全上皮細胞に占める割合を算出することで、その尿試料が採取された被検者の炎症や疾患などの有無を推定し得るパラメータが求められている。
【先行技術文献】
【特許文献】
【０００５】
【特許文献１】特開２００６−１７５５５号公報
【発明の概要】
【発明が解決しようとする課題】
【０００６】
炎症や疾患が疑わしい尿試料については、排尿器官のどこに異常があるか、どのような疾患が疑われるかを診断するに際して、詳細な情報が必要になる場合がある。上皮細胞には、扁平上皮細胞、尿細管上皮細胞、卵円形脂肪体などの由来の異なるいくつかの種類があり、尿試料に含まれる上皮細胞がいずれの種類であるかを特定することができれば、炎症・疾患部位を特定するのに役立てることができる。
【０００７】
上記特許文献に記載の技術は、上記のように、多数の尿試料から炎症や疾患が疑われる尿試料をスクリーニングするのに有用な情報を提供するものの、炎症や疾患が疑われる尿試料に対して、炎症・疾患部位の特定に役立つ上皮細胞の情報までをも提供するものではなかった。
【０００８】
本発明は、上記課題に鑑みてなされたものであり、検体中の上皮細胞の種類の特定に有用な情報を得ることができる検体分析方法および検体分析装置を提供することを目的とする。
【課題を解決するための手段】
【０００９】
本発明の第１の態様は、検体分析方法に関する。この態様に係る検体分析方法は、検体と試薬とを混合して調製された測定試料をフローセルに流し、フローセルを流れる測定試料に対して直線偏光の光を照射し、測定試料中の粒子が照射されることにより生じる光を検出し、検出した光から、各粒子に基づく偏光状態を反映する第１パラメータを取得し、前記第１パラメータの相違に基づいて、測定試料に含まれる上皮細胞を解析する。
【００１０】
一般に、複数の種類の上皮細胞は、それぞれ、種類に応じて偏光特性の異なる固有の成分を含有する。そして、上皮細胞に光が照射されると、これにより生じる光の偏光方向は、この上皮細胞に含まれる成分の旋光性に応じて、粒子に照射される前の光の偏光方向から変化する。よって、本態様に係る検体分析方法によれば、粒子が照射されることにより生じる光から、各粒子に基づく偏光状態を反映する第１パラメータを取得すると、第１パラメータの相違に基づいて、測定試料に含まれる上皮細胞の種類の特定に有用な情報を得ることができる。この情報は、炎症・疾患部位の特定にも役立つ。
【００１１】
本態様に係る検体分析方法において、前記光の検出では、測定試料に照射される照射光が測定試料中の粒子によって散乱した散乱光であって、前記照射光とは異なる偏光状態の散乱光が検出される。
【００１２】
この場合、前記照射光の偏光方向は、前記照射光の照射位置における前記測定試料の流れ方向に平行となるよう設定され、前記散乱光の検出は、前記流れ方向に垂直な偏光成分の光を検出するようにして行われ得る。このように、照射光の偏光方向を、照射光の照射位置における測定試料の流れ方向に平行とすると、測定試料中の粒子から生じる散乱光と蛍光とを、同一方向において受光し易くすることができる。これにより、散乱光と蛍光を検出するための光学系を簡素にすることができる。なお、この場合、流れ方向に垂直な偏光成分の光を検出することにより、各粒子に基づく偏光状態を反映する第１パラメータを効率的に取得することができる。
【００１３】
本態様に係る検体分析方法において、前記光の検出は、測定試料中の粒子から発せられ、前記照射光の偏光方向とは異なる偏光方向の光を透過する偏光フィルタを介して行われることを含み得る。これにより、粒子が含有する成分の旋光性に応じて変化した偏光方向の光を検出することができる。
【００１４】
また、本態様に係る検体分析方法は、測定試料中の粒子が照射されることにより生じる散乱光から、各粒子の大きさを反映する第２パラメータをさらに取得し、上皮細胞の解析は、前記第１および第２パラメータに基づいて行われるよう構成され得る。これにより、さらに上皮細胞を細分類することができる。
【００１５】
また、本態様に係る検体分析方法において、検体として好ましくは尿検体を採用することができ、上皮細胞は、少なくとも、扁平上皮細胞と尿細管上皮細胞に分類される。扁平上皮細胞は、外尿道口付近の粘膜に由来する細胞であり、また、尿細管上皮細胞は、近位尿細管からヘンレの係蹄、遠位尿細管、集合管、腎乳頭までの内腔を覆う上皮に由来する細胞である。したがって、上皮細胞を扁平上皮細胞と尿細管上皮細胞に分類することにより、炎症・疾患部位の特定に役立つ情報を提供することができる。
【００１６】
また、本態様に係る検体分析方法において、検体として好ましくは尿検体を採用することができ、上皮細胞は、扁平上皮細胞と、尿細管上皮細胞と、卵円形脂肪体とに分類される。卵円形脂肪体は、尿細管上皮細胞由来の脂肪顆粒細胞であり、ネフローゼ症候群との関連性があると言われており、さらに最近の研究では、他の疾患や病変の関連性も指摘されている。したがって、上皮細胞を卵円形脂肪体に分類することにより、これら病状の把握に役立つ情報を提供することができる。
【００１７】
本発明の第２の態様は、検体分析装置に関する。この態様に係る検体分析装置は、検体と試薬とを混合して測定試料を調製する試料調製部と、前記試料調製部によって調製された測定試料が流れるフローセルと、前記フローセルを流れる測定試料に直線偏光の光を照射する照射ユニットと、測定試料中の粒子が照射されることにより生じる光であって、前記測定試料に照射される照射光とは異なる偏光状態の光を検出する検出部と、前記検出部
による検出結果から、各粒子に基づく偏光状態を反映する第１パラメータを取得し、当該第１パラメータの相違に基づいて、測定試料に含まれる上皮細胞を解析する解析部と、を備える。
【００１８】
本態様に係る検体分析装置によれば、上記第１の態様と同様の効果が奏され得る。
【００１９】
本態様に係る検体分析装置において、前記検出部は、測定試料に照射される照射光が測定試料中の粒子によって散乱した散乱光であって、前記照射光とは異なる偏光状態の散乱光を検出する構成とされ得る。
【００２０】
この場合、前記照射光の偏光方向は、前記照射光の照射位置における前記測定試料の流れ方向に平行となっており、前記検出部は、前記流れ方向に垂直な偏光成分の光を検出する構成とされ得る。
【００２１】
本態様に係る検体分析装置において、前記検出部は、測定試料中の粒子から発せられ、前記照射光の偏光方向とは異なる偏光方向の光を透過する偏光フィルタを介して前記光を検出する構成とされ得る。
【００２２】
また、本態様に係る検体分析装置は、測定試料中の粒子が照射されることにより生じる散乱光を検出する他の検出部をさらに備える構成とされ得る。ここで、前記解析部は、前記他の検出部による検出結果から、各粒子の大きさを反映する第２パラメータをさらに取得し、前記第１パラメータおよび当該第２パラメータに基づいて、上皮細胞の解析を行う構成とされ得る。
【００２３】
また、本態様に係る検体分析装置において、測定対象の検体は、たとえば、尿検体とされ、前記解析部は、上皮細胞を、少なくとも、扁平上皮細胞と尿細管上皮細胞に分類する構成とされ得る。
【００２４】
また、本態様に係る検体分析装置において、測定対象の検体は、たとえば、尿検体とされ、前記解析部は、上皮細胞を、扁平上皮細胞と、尿細管上皮細胞と、卵円形脂肪体とに分類する構成とされ得る。
【発明の効果】
【００２５】
以上のとおり、本発明によれば、検体中の上皮細胞の種類の特定に有用な情報を得ることができる検体分析方法および検体分析装置を提供することができる。
【００２６】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２７】
【図１】実施の形態に係る尿検体分析装置の外観の構成を示す図である。
【図２】実施の形態に係る測定装置の構成を示す図である。
【図３】実施の形態に係る光学検出部の構成を示す模式図である。
【図４】実施の形態に係る特徴パラメータについて説明する図である。
【図５】実施の形態に係る情報処理装置の構成を示す図である。
【図６】実施の形態に係る測定装置と情報処理装置の処理を示すフローチャートである。
【図７】実施の形態に係る第１スキャッタグラムおよび第１スキャッタグラムに設定される領域、ならびに、第２スキャッタグラムおよび第２スキャッタグラムに設定される領域を示す図である。
【図８】実際の尿検体に対して、顕微鏡を使用した目視による計数結果、ならびに、実施の形態に係る計数結果および第２スキャッタグラムにおける分画を行った結果を示す図である。
【図９】変更例に係る表示部に表示される画面および第２スキャッタグラムに設定される領域を示す図である。
【発明を実施するための形態】
【００２８】
本実施の形態は、血球、細菌、円柱、上皮細胞などの粒子を含む尿検体を分析する尿検体分析装置に本発明を適用したものである。測定対象となる尿検体は、排泄された尿の他に、原尿、尿管中の尿、膀胱内の尿、尿道中の尿など、生体内から採取した尿を含むものである。
【００２９】
以下、本実施の形態について、図面を参照して説明する。
【００３０】
図１は、尿検体分析装置１の外観の構成を示す図である。
【００３１】
尿検体分析装置１は、尿検体に含まれる粒子をフローサイトメータにより光学的に測定する測定装置２と、測定装置２から出力された後述の測定データを処理する情報処理装置３とを備えている。測定装置２の前方には搬送部２ａが設けられており、搬送部２ａによって、尿検体が収容された容器Ｔを複数保持するラックＲが搬送される。情報処理装置３は、本体３０と、分析結果等が表示される表示部３１と、オペレータの指示を受け付ける入力部３２を備えている。
【００３２】
図２は、測定装置２の構成を示す図である。
【００３３】
測定装置２は、検体分配部２１と、試料調製部２２と、光学検出部２３と、信号処理回路２４と、ＣＰＵ２５と、メモリ２６と、通信インターフェース２７とを有する。信号処理回路２４は、アナログ信号処理回路２４１と、Ａ／Ｄコンバータ２４２と、デジタル信号処理回路２４３と、メモリ２４４とを有する。
【００３４】
検体分配部２１は、搬送部２ａによって搬送された容器Ｔから所定量の尿検体を吸引し、試料調製部２２に供給する。試料調製部２２は、混合容器とポンプ（図示せず）を備えている。また、試料調製部２２には、容器２２１、２２２が、チューブを介して接続されている。容器２２１には、核酸を特異的に染色するインターカレータを含有する試薬が収容されており、容器２２２には、希釈液が収容されている。混合容器では、検体分配部２１から供給された検体に対して、容器２２１、２２２から供給される試薬と希釈液が混合され、測定試料の調製が行われる。混合容器で調製された測定試料は、ポンプにより、シース液と共に光学検出部２３のフローセル２０５（図３参照）に供給される。
【００３５】
図３は、光学検出部２３の構成を示す模式図である。
【００３６】
光学検出部２３は、半導体レーザ２０１と、コリメータレンズ２０２と、シリンドリカルレンズ２０３と、コンデンサレンズ２０４と、フローセル２０５と、集光レンズ２０６と、ビームストッパ２０７と、ピンホール２０８と、フォトダイオード２０９と、集光レンズ２１０と、ダイクロイックミラー２１１と、ハーフミラー２１２と、フォトマルチプライヤ２１３と、偏光フィルタ２１４と、フォトマルチプライヤ２１５と、分光フィルタ２１６と、フォトマルチプライヤ２１７を備えている。
【００３７】
半導体レーザ２０１は、波長４８８ｎｍ程度のレーザ光をＸ軸正方向に出射する。半導
体レーザ２０１から出射されるレーザ光は、直線偏光となっている。半導体レーザ２０１は、直線偏光の偏光方向が、フローセル２０５上のレーザ光の照射位置における測定試料の流れ方向（Ｚ軸方向）に平行となるよう、測定装置２内に設置されている。すなわち、半導体レーザ２０１から出射されるレーザ光の偏光方向は、Ｚ軸方向に垂直な面を入射面としたとき、当該入射面に対して垂直となっている。
【００３８】
半導体レーザ２０１から出射されたレーザ光は、コリメータレンズ２０２により平行光に変換される。コリメータレンズ２０２を透過したレーザ光は、シリンドリカルレンズ２０３によりＹ軸方向にのみ収束される。シリンドリカルレンズ２０３を透過したレーザ光は、コンデンサレンズ２０４により、Ｙ軸方向とＺ軸方向に集光される。これにより、半導体レーザ２０１から出射されるレーザ光が、フローセル２０５内をＺ軸方向に流れる測定試料に対して、Ｙ軸方向に細長いビーム形状で照射される。レーザ光が測定試料中の粒子に照射されると、フローセル２０５の前方（Ｘ軸正方向）に前方散乱光が生じ、フローセル２０５の側方（Ｙ軸正方向）に側方散乱光と側方蛍光が生じる。
【００３９】
前方散乱光は、フローセル２０５のＸ軸正方向側に配置された集光レンズ２０６により、ピンホール２０８の位置に集光される。半導体レーザ２０１から出射された光のうち、測定試料中の粒子に照射されずにフローセル２０５を透過したレーザ光は、集光レンズ２０６によって集光された後、フォトダイオード２０９に入射しないようビームストッパ２０７によって遮断される。ピンホール２０８を通過した前方散乱光は、フォトダイオード２０９により検出される。フォトダイオード２０９は、検出した前方散乱光に基づいて前方散乱光信号（ＦＳＣ）を出力する。
【００４０】
側方散乱光は、フローセル２０５のＹ軸正方向側に配置された集光レンズ２１０によって収束される。集光レンズ２１０を透過した側方散乱光は、ダイクロイックミラー２１１により反射される。ダイクロイックミラー２１１によって反射された側方散乱光は、無偏光タイプのハーフミラー２１２によって２分割される。ハーフミラー２１２を透過した側方散乱光は、フォトマルチプライヤ２１３により検出される。フォトマルチプライヤ２１３は、検出した側方散乱光に基づいて側方散乱光信号（ＳＳＣ）を出力する。ハーフミラー２１２により反射された側方散乱光は、偏光フィルタ２１４に入射する。
【００４１】
ここで、一般に、測定試料中の粒子に対して所定の偏光方向のレーザ光が照射されると、側方散乱光の偏光方向は、粒子が含有する成分が持つ旋光性に応じて、粒子に照射される前のレーザ光の偏光方向から変化する。本実施の形態では、測定試料に照射されるレーザ光の偏光方向は、フローセル２０５を流れる測定試料の流れ方向（Ｚ軸方向）に平行となっている（以下、この偏光状態を「初期の偏光状態」という）。したがって、測定試料にレーザ光が照射されると、照射された粒子が含有する成分に応じて、成分が分布する部分のレーザ光の偏光方向が回転し、測定試料に照射される前の初期の偏光状態とは異なる偏光方向となる。このように測定試料に照射されるレーザ光の偏光方向が、部分的に変化して初期の偏光状態から崩れると、Ｙ軸正方向に生じる側方散乱光には、種々の偏光状態の光成分が含まれるようになる。
【００４２】
このとき、粒子から生じる側方散乱光のうち、測定試料に照射される前の偏光方向に垂直な偏光方向の光成分の割合（初期の偏光状態が崩される度合い）は、粒子が含有する成分に応じて決まる。本実施の形態では、後述するように、複数の種類の上皮細胞が、それぞれ、種類に応じて偏光特性の異なる固有の成分を含有することに着目し、側方散乱光の偏光状態（初期の偏光状態が崩される度合い）に基づいて、これら複数の種類の上皮細胞が分類される。
【００４３】
偏光フィルタ２１４は、Ｚ軸方向に平行な偏光を遮断し、Ｘ軸方向に平行な偏光を通過
させるよう構成されている。偏光フィルタ２１４を通過した側方散乱光を、以下、「偏光解消側方散乱光」と称する。偏光解消側方散乱光は、フォトマルチプライヤ２１５により検出される。フォトマルチプライヤ２１５は、検出した偏光解消側方散乱光に基づいて偏光解消側方散乱光信号（ＰＳＳＣ）を出力する。
【００４４】
上記のように、側方散乱光の偏光方向は、測定試料中の粒子に含まれる成分が持つ旋光性に応じて、初期の偏光状態から変化する。したがって、フォトマルチプライヤ２１５に到達する偏光解消側方散乱光の光量も、レーザ光が照射される粒子の種類毎に異なることとなり、また、偏光解消側方散乱光信号（ＰＳＳＣ）の大きさも、レーザ光が照射される粒子の種類毎に異なることとなる。
【００４５】
なお、フローセル２０５上から生じる前方散乱光と側方散乱光は、それぞれ、偏光フィルタを介さずに、そのまま、フォトダイオード２０９とフォトマルチプライヤ２１３によって受光される。したがって、フォトダイオード２０９は、フローセル２０５から生じた偏光方向が不揃いの前方散乱光をそのまま検出し、同様に、フォトマルチプライヤ２１３は、フローセル２０５から生じた偏光方向が不揃いの側方散乱光をそのまま検出する。なお、前方散乱光は、側方散乱光と同様、測定試料中の粒子の旋光性によって、偏光方向が初期の偏光状態から変化する。
【００４６】
側方蛍光は、側方散乱光と同様、集光レンズ２１０によって収束される。集光レンズ２１０を透過した側方蛍光は、ダイクロイックミラー２１１を透過し、分光フィルタ２１６に通されて、フォトマルチプライヤ２１７により検出される。フォトマルチプライヤ２１７は、検出した側方蛍光に基づいて側方蛍光信号（ＳＦＬ）を出力する。
【００４７】
図２に戻り、光学検出部２３は、前方散乱光信号（ＦＳＣ）と、側方散乱光信号（ＳＳＣ）と、偏光解消側方散乱光信号（ＰＳＳＣ）と、側方蛍光信号（ＳＦＬ）をアナログ信号処理回路２４１に出力する。アナログ信号処理回路２４１は、ＣＰＵ２５の指示に従って、光学検出部２３から出力された各光に基づく電気信号を、アンプにより増幅し、Ａ／Ｄコンバータ２４２に出力する。
【００４８】
Ａ／Ｄコンバータ２４２は、アナログ信号処理回路２４１から出力された電気信号をデジタル信号に変換し、デジタル信号処理回路２４３に出力する。デジタル信号処理回路２４３は、ＣＰＵ２５の指示に従って、Ａ／Ｄコンバータ２４２から出力されたデジタル信号に対して、所定の信号処理を施す。これにより、フローセル２０５内を粒子が通過する度に生じる前方散乱光と、側方散乱光と、偏光解消側方散乱光と、側方蛍光に対応する信号波形が取得される。すなわち、測定試料に含まれる粒子（赤血球、白血球、上皮細胞、円柱、細菌等）ごとに、各光に対応する信号波形が取得される。取得された信号波形は、メモリ２４４に記憶される。
【００４９】
ＣＰＵ２５は、メモリ２４４に記憶された信号波形から、前方散乱光と、側方散乱光と、偏光解消側方散乱光と、側方蛍光に対応する、複数の特徴パラメータ（ピーク値、幅、面積）を算出する。
【００５０】
ピーク値（Ｐ）は、図４（ａ）に示すように、信号波形の最大値である。幅（Ｗ）は、図４（ｂ）に示すように、所定の閾値よりも大きい信号波形の部分の幅である。面積（Ａ）は、図４（ｃ）に示すように、所定の閾値と信号波形が交わる点から下に延ばした線分と、信号波形とに囲まれる部分の面積である。なお、図４（ｂ）、（ｃ）で用いられる閾値は、適切な特徴パラメータが得られるよう、特徴パラメータごとに適宜設定される。こうして算出された特徴パラメータは、メモリ２６に記憶される。
【００５１】
ＣＰＵ２５は、算出した粒子ごとの特徴パラメータ（以下、「測定データ」という）を、通信インターフェース２７を介して情報処理装置３に送信する。また、ＣＰＵ２５は、通信インターフェース２７を介して情報処理装置３から制御信号を受信し、かかる制御信号に従って測定装置２の各部を駆動する。
【００５２】
図５は、情報処理装置３の構成を示す図である。
【００５３】
情報処理装置３は、パーソナルコンピュータからなり、本体３０と、表示部３１と、入力部３２から構成されている。本体３０は、ＣＰＵ３０１と、ＲＯＭ３０２と、ＲＡＭ３０３と、ハードディスク３０４と、読出装置３０５と、画像出力インターフェース３０６と、入出力インターフェース３０７と、通信インターフェース３０８を有する。
【００５４】
ＣＰＵ３０１は、ＲＯＭ３０２に記憶されているコンピュータプログラムと、ＲＡＭ３０３にロードされたコンピュータプログラムを実行する。ＲＡＭ３０３は、ＲＯＭ３０２とハードディスク３０４に記憶されているコンピュータプログラムの読み出しに用いられる。また、ＲＡＭ３０３は、これらのコンピュータプログラムを実行するときに、ＣＰＵ３０１の作業領域としても利用される。
【００５５】
ハードディスク３０４には、オペレーティングシステムと、ＣＰＵ３０１に実行させるためのコンピュータプログラムと、コンピュータプログラムの実行に用いるデータが記憶されている。また、ハードディスク３０４には、図６に示す処理を実行させるためのプログラム３０４ａが予め記憶されており、測定装置２から受信した測定データが順次記憶される。読出装置３０５は、ＣＤドライブまたはＤＶＤドライブ等によって構成されており、記録媒体３０５ａに記録されたコンピュータプログラムとデータを読み出すことができる。なお、上記プログラム３０４ａが記録媒体３０５ａに記録されている場合には、読出装置３０５により記録媒体３０５ａから読み出されたプログラム３０４ａが、ハードディスク３０４に記憶される。
【００５６】
画像出力インターフェース３０６は、画像データに応じた映像信号を表示部３１に出力し、表示部３１は、映像信号に基づいて画像を表示する。オペレータが入力部３２を介して指示を入力すると、入出力インターフェース３０７は、入力された信号を受け付ける。通信インターフェース３０８は、測定装置２に接続されており、ＣＰＵ３０１は、通信インターフェース３０８を介して、測定装置２との間で指示信号およびデータの送受信を行う。
【００５７】
図６は、測定装置２と情報処理装置３の処理を示すフローチャートである。
【００５８】
情報処理装置３のＣＰＵ３０１は、入力部３２を介してオペレータによる測定指示を受け付けると（Ｓ１０１：ＹＥＳ）、測定開始信号を測定装置２に送信する（Ｓ１０２）。一方、測定装置２のＣＰＵ２５は、情報処理装置３から測定開始信号を受信すると（Ｓ２０１：ＹＥＳ）、測定試料の調製を行い（Ｓ２０２）、調製した測定試料をフローセル２０５内に流す（Ｓ２０３）。続いて、上述したように、半導体レーザ２０１から出射されたレーザ光が、フローセル２０５内を流れる測定試料に照射され、測定試料に含まれる粒子ごとに、前方散乱光と、側方散乱光と、偏光解消側方散乱光と、側方蛍光が、それぞれ、フォトダイオード２０９と、フォトマルチプライヤ２１３、２１５、２１７により検出される（Ｓ２０４）。
【００５９】
続いて、ＣＰＵ２５は、検出した各光に対応する信号波形を取得し（Ｓ２０５）、取得した信号波形に基づいて、上述した複数の特徴パラメータを算出する（Ｓ２０６）。しかる後、ＣＰＵ２５は、算出した粒子ごとの複数の特徴パラメータ（測定データ）を、情報
処理装置３に送信する（Ｓ２０７）。
【００６０】
一方、情報処理装置３のＣＰＵ３０１は、測定データを受信すると（Ｓ１０３：ＹＥＳ）、第１スキャッタグラムにおいて領域Ａ１１、Ａ１２を設定する（Ｓ１０４）。具体的には、図７（ａ）に示すように、測定データに含まれる各粒子が、前方散乱光信号の幅（ＦＳＣＷ）と側方蛍光信号の幅（ＦＬＷ）を２軸とする第１スキャッタグラム上にプロットされる。そして、第１スキャッタグラムにおいて固定の領域Ａ１１、Ａ１２が設定される。
【００６１】
図７（ａ）において、領域Ａ１１は、測定試料に含まれる全上皮細胞に対応する領域であり、領域Ａ１２は、測定試料に含まれる円柱に対応する領域である。また、ＦＳＣＷとＦＬＷが共に小さく、第１スキャッタグラムの原点付近に表れる粒子は、測定試料中の小型の粒子（血球、細菌など）である。ＣＰＵ３０１は、第１スキャッタグラム上の領域Ａ１１に含まれる粒子、すなわち、上皮細胞を抽出する（Ｓ１０５）。
【００６２】
なお、ここでは、説明の便宜上、第１スキャッタグラムに粒子がプロットされ、第１スキャッタグラムに設定された領域Ａ１１に含まれる粒子が抽出されている。しかしながら、第１スキャッタグラムと領域Ａ１１、Ａ１２は、必ずしも図形やグラフとして作成される必要はなく、領域Ａ１１に含まれる粒子の抽出は、特定の数値範囲に属する粒子のみをフィルタリングによって抽出するデータ処理によって行われるようにしても良い。同様に、後述する第２スキャッタグラムと領域Ａ２１〜Ａ２３も、必ずしも図形やグラフとして作成される必要はなく、領域Ａ２１〜Ａ２３に含まれる粒子数の計数は、データ処理によって行われるようにしても良い。
【００６３】
次に、ＣＰＵ３０１は、第２スキャッタグラムにおいて領域Ａ２１〜Ａ２３を設定する（Ｓ１０６）。具体的には、図７（ｂ）に示すように、Ｓ１０５で抽出した領域Ａ１１の各粒子が、前方散乱光信号の幅（ＦＳＣＷ）と偏光解消側方散乱光信号の面積（ＰＳＳＣＡ）を２軸とする第２スキャッタグラム上にプロットされる。そして、第２スキャッタグラムにおいて固定の領域Ａ２１〜Ａ２３が設定される。
【００６４】
図７（ｂ）において、領域Ａ２１は、測定試料に含まれる扁平上皮細胞に対応する領域であり、領域Ａ２２は、測定試料に含まれる尿細管上皮細胞に対応する領域であり、領域Ａ２３は、測定試料に含まれる卵円形脂肪体に対応する領域である。ＣＰＵ３０１は、第２スキャッタグラム上の領域Ａ２１〜Ａ２３に含まれる粒子、すなわち、扁平上皮細胞の数と、尿細管上皮細胞の数と、卵円形脂肪体の数を計数する（Ｓ１０７）。
【００６５】
ここで、縦軸のＰＳＳＣＡは、粒子から生じる側方散乱光のうち、測定試料に照射される前の偏光方向に垂直な偏光方向の光成分の割合（初期の偏光状態が崩される度合い）を示すものである。このため、扁平上皮細胞と尿細管上皮細胞に比べて、通常、初期の偏光状態を崩す成分を多く含むとされる卵円形脂肪体は、ＰＳＳＣＡの値が大きい領域に分布することになる。また、横軸のＦＳＣＷは、粒子の幅を示すものである。このため、尿細管上皮細胞と卵円形脂肪体に比べて、通常、幅が大きいとされる扁平上皮細胞は、ＦＳＣＷの値が大きい領域に分布することになる。また、卵円形脂肪体に比べて、通常、初期の偏光状態を崩す成分を多く含まず、且つ、扁平上皮細胞に比べて、通常、幅が小さいとされる尿細管上皮細胞は、ＰＳＳＣＡとＦＳＣＷの値が小さい領域に分布することになる。よって、図７（ｂ）に示すように第２スキャッタグラムにおいて領域Ａ２１〜Ａ２３が設定されると、領域Ａ２１〜Ａ２３は、それぞれ、扁平上皮細胞と、尿細管上皮細胞と、卵円形脂肪体に対応する領域となる。
【００６６】
続いて、ＣＰＵ３０１は、Ｓ１０７において取得した粒子数を、表示部３１に表示する
（Ｓ１０８）。こうして、測定装置２と情報処理装置３の処理が終了する。
【００６７】
次に、実際の尿検体に対して、顕微鏡を使用した目視による計数結果と、本実施の形態による計数結果を比較する。
【００６８】
図８（ａ）は、所定の尿検体についての、顕微鏡を使用した目視による計数結果と、本実施の形態による計数結果を示す図である。この場合の尿検体には、目視の結果、扁平上皮細胞が１４．０個／μＬ含まれており、尿細管上皮細胞が０．０個／μＬ含まれており、卵円形脂肪体が０．０個／μＬ含まれている。図８（ｂ）は、この場合の尿検体について、本実施の形態の第２スキャッタグラムにおける分画を行った結果を示す図である。
【００６９】
尿細管上皮細胞は、近位尿細管からヘンレ係蹄、遠位尿細管、集合管、腎乳頭までの内腔を覆う上皮に由来する細胞である。一般に、尿検体１μＬに含まれる尿細管上皮細胞が１〜２個以上あれば、この尿検体を採取した患者は、腎臓（たとえば、尿細管上皮細胞が分布する上記部位）の疾患に罹患している可能性が高いとされる。また、卵円形脂肪体は、尿細管上皮細胞由来の脂肪顆粒細胞である。一般に、尿検体１μＬに含まれる卵円形脂肪体が１〜２個以上あれば、この尿検体を採取した患者は、腎臓の疾患（たとえば、ネフローゼ症候群）に罹患している可能性が高いとされる。
【００７０】
図８（ａ）の目視結果によれば、この尿検体１μＬに含まれる尿細管上皮細胞と卵円形脂肪体は、何れも１個未満であった。一方、図８（ａ）の本実施の形態の結果によれば、目視結果の場合と同様、この尿検体１μＬに含まれる尿細管上皮細胞と卵円形脂肪体は、何れも１個未満であった。なお、図８（ｂ）を併せて参照すると、領域Ａ２２、Ａ２３に含まれる粒子の数が少ないため、この尿検体に含まれる尿細管上皮細胞と卵円形脂肪体は少ないことが分かる。
【００７１】
よって、本実施の形態によれば、目視結果と同様、この尿検体を採取した患者について、尿細管上皮細胞が少ないことに基づいて、オペレータは、この患者が腎臓（たとえば、尿細管上皮細胞が分布する上記部位）の疾患に罹患している可能性が低いと判断することができる。また、本実施の形態によれば、目視結果と同様、この尿検体を採取した患者について、卵円形脂肪体が少ないことに基づいて、オペレータは、この患者が腎臓の疾患（たとえば、ネフローゼ症候群）に罹患している可能性が低いと判断することができる。
【００７２】
なお、扁平上皮細胞は、外尿道口付近の粘膜に分布しており、健常人の尿検体中にも多数含まれる細胞であるため、扁平上皮細胞の数に基づいて、炎症・疾患部位を特定することは困難である。しかしながら、本実施の形態では、尿検体中の上皮細胞から扁平上皮細胞を分類することができるため、尿細管上皮細胞と卵円形脂肪体の分類精度を向上させることができる。
【００７３】
図８（ｃ）は、図８（ａ）、（ｂ）の場合とは異なる他の尿検体についての、顕微鏡を使用した目視による計数結果と、本実施の形態による計数結果を示す図である。この場合の尿検体には、目視の結果、扁平上皮細胞が２６．０個／μＬ含まれており、尿細管上皮細胞が４２．０個／μＬ含まれており、卵円形脂肪体が０．０個／μＬ含まれている。図８（ｄ）は、この場合の尿検体について、本実施の形態の第２スキャッタグラムにおける分画を行った結果を示す図である。
【００７４】
図８（ｃ）の目視結果によれば、この尿検体１μＬに含まれる尿細管上皮細胞は２個以上であり、卵円形脂肪体は１個未満であった。一方、図８（ｃ）の本実施の形態の結果によれば、目視結果の場合と同様、この尿検体１μＬに含まれる尿細管上皮細胞は２個以上であり、卵円形脂肪体は１個未満であった。なお、図８（ｄ）を併せて参照すると、領域
Ａ２２に含まれる粒子の数は多く、領域Ａ２３に含まれる粒子の数は少ないため、この尿検体に含まれる尿細管上皮細胞は多く、卵円形脂肪体は少ないことが分かる。
【００７５】
よって、本実施の形態によれば、目視結果と同様、この尿検体を採取した患者について、尿細管上皮細胞が多いことに基づいて、オペレータは、この患者が腎臓（たとえば、尿細管上皮細胞が分布する上記部位）の疾患に罹患している可能性が高いと判断することができる。また、本実施の形態によれば、目視結果と同様、この尿検体を採取した患者について、卵円形脂肪体が少ないことに基づいて、オペレータは、この患者が腎臓の疾患（たとえば、ネフローゼ症候群）に罹患している可能性が低いと判断することができる。
【００７６】
以上、本実施の形態によれば、偏光解消側方散乱光信号の面積（ＰＳＳＣＡ）と前方散乱光信号の幅（ＦＳＣＷ）により、測定試料に含まれる上皮細胞の特定に有用な情報を得ることができる。そして、この情報は、炎症・疾患部位の特定にも役立てることができる。
【００７７】
より具体的には、前方散乱光信号の幅（ＦＳＣＷ）と偏光解消側方散乱光信号の面積（ＰＳＳＣＡ）を２軸とする第２スキャッタグラムにおいて、領域Ａ２１〜Ａ２３を設定することにより、扁平上皮細胞と、尿細管上皮細胞と、卵円形脂肪体を分類することができる。これにより、尿検体に含まれる上皮細胞が、扁平上皮細胞と、尿細管上皮細胞と、卵円形脂肪体の何れであるかを特定（細分類）することができ、これら上皮細胞の種類に応じた炎症・疾患部位を特定するための情報が取得され得る。
【００７８】
また、本実施の形態によれば、第２スキャッタグラムの領域Ａ２１〜Ａ２３に含まれる粒子数を計数することにより、扁平上皮細胞と、尿細管上皮細胞と、卵円形脂肪体の数が取得され、取得された数が表示される。これにより、オペレータは、尿細管上皮細胞が多いことに基づいて、この患者が腎臓（たとえば、近位尿細管からヘンレ係蹄、遠位尿細管、集合管、腎乳頭までの内腔を覆う上皮）の疾患に罹患している可能性が高いと判断することができる。また、オペレータは、卵円形脂肪体が多いことに基づいて、この患者が腎臓の疾患（たとえば、ネフローゼ症候群）に罹患している可能性が高いと判断することができる。
【００７９】
なお、腎臓の疾患の可能性が高いと一般に判断される場合、図６のＳ１０８において、情報処理装置３の表示部３１に、図９（ａ）に示す画面Ｄ１が表示されるようにしても良い。画面Ｄ１には、腎臓の疾患の可能性が高いと判断された根拠（図９（ａ）では、尿細管上皮細胞の数）と、罹患の可能性を示唆する旨が表示される。また、図６のＳ１０８において、図８（ｂ）、（ｄ）に示す第２スキャッタグラムが併せて表示されても良い。
【００８０】
また、本実施の形態によれば、半導体レーザ２０１から出射されるレーザ光の偏光方向が、フローセル２０５内を流れる測定試料の流れ方向（Ｚ軸方向）に平行となっている。これにより、フローセル２０５内を流れる粒子に対して、Ｘ軸正方向にレーザ光が照射されると、蛍光は略Ｙ軸方向に生じるため、側方散乱光と蛍光とを略同一の方向（Ｙ軸正方向）で受光することができる。これにより、光学検出部２３の構成を簡素にすることができる。また、上記のように光学検出部２３を構成した場合、フローセル２０５のＹ軸正方向側に配置されたフォトマルチプライヤ２１７により側方蛍光を効率良く検出することができる。
【００８１】
また、本実施の形態によれば、偏光フィルタ２１４により、測定試料に照射されるレーザ光と同じ偏光方向の側方散乱光が遮断されるため、フォトマルチプライヤ２１５は、偏光解消側方散乱光を効率的に検出することが可能となる。
【００８２】
以上、本発明の実施の形態について説明したが、本発明は、上記実施の形態に制限されるものではなく、また、本発明の実施の形態も上記以外に種々の変更が可能である。
【００８３】
たとえば、上記実施の形態では、直線偏光の光を出射させる光源として、半導体レーザ２０１が用いられたが、これに限らず、ランプから出射された光のうち、偏光フィルタにより一方向の偏光成分の光のみが抽出されるように構成された光源ユニットが用いられるようにしても良い。
【００８４】
また、上記実施の形態では、半導体レーザ２０１は、直線偏光の偏光方向が、フローセル２０５上のレーザ光の照射位置における測定試料の流れ方向（Ｚ軸方向）に平行となるよう、測定装置２内に配置された。しかしながら、半導体レーザ２０１から出射されるレーザ光の偏光方向は、必ずしも測定試料の流れ方向に一致していなくても良く、測定試料の流れ方向に対してやや傾いていても良い。この場合、上記の実施の形態に比べて、粒子から生じる蛍光の進行方向はＹ軸方向から離れることになる。よって、フォトマルチプライヤ２１７により蛍光を効率良く検出するためには、上記実施の形態のように、半導体レーザ２０１から出射されるレーザ光の偏光方向は、測定試料の流れ方向に一致しているのが望ましい。
【００８５】
また、上記実施の形態では、第２スキャッタグラムの縦軸は偏光解消側方散乱光信号の面積（ＰＳＳＣＡ）とされたが、これに限らず、粒子から生じる側方散乱光のうち、初期の偏光方向と異なる偏光方向の光成分の割合（初期の偏光状態が崩される度合い）を反映する特徴パラメータであれば良い。たとえば、縦軸は、偏光解消側方散乱光信号のピーク値（ＰＳＳＣＰ）であっても良い。この場合、縦軸の特徴パラメータとして、ＰＳＳＣＡ、ＰＳＳＣＰの何れを用いるかは、測定試料に照射されるレーザ光のビームスポットの大きさ、フローセル２０５内を流れる測定試料の速度、アナログ信号処理回路２４１の増幅度などによって適宜設定され得る。
【００８６】
また、第２スキャッタグラムの縦軸は、粒子から生じる前方散乱光のうち、初期の偏光方向と異なる偏光方向の光成分の割合を反映する特徴パラメータであっても良い。上述したように、フォトダイオード２０９には、フローセル２０５から生じた偏光方向が不揃いの前方散乱光が入射する。このため、フォトダイオード２０９のＸ軸負方向側にハーフミラーを配置し、このハーフミラーによって分割された前方散乱光を偏光フィルタに通せば、粒子から生じる前方散乱光のうち、初期の偏光方向と異なる偏光方向の光成分（偏光解消前方散乱光）を受光することができる。この場合も、受光した偏光解消前方散乱光の割合（初期の偏光状態が崩される度合い）を反映する特徴パラメータを第２スキャッタグラムの縦軸とすることで、上記実施の形態と同様、上皮細胞の特定に有用な情報を得ることができる。
【００８７】
また、上記実施の形態では、上皮細胞を分類するために偏光解消側方散乱光信号の面積（ＰＳＳＣＡ）と前方散乱光信号の幅（ＦＳＣＷ）の二つの特徴パラメータを組み合わせているが、これに限らず、初期の偏光状態が崩される度合いを反映する特徴パラメータだけで上皮細胞を分類する構成であっても良い。たとえば、第２スキャッタグラムに代えて、偏光解消側方散乱光信号の面積（ＰＳＳＣＡ）と粒子の度数とからなるヒストグラムを生成し、ヒストグラムを基に上皮細胞を分類してもよい。この場合、たとえば、ＰＳＳＣＡの高い位置に多くの粒子が分布している場合、検体に卵円形脂肪体が含まれていると判断することができる。また、ＰＳＳＣＡの低い位置に多くの粒子が分類している場合であっても、たとえば、ＰＳＳＣＡの平均値、最頻値、ヒストグラムの面積などのパラメータを用いることで、扁平上皮細胞が多く含まれているか、あるいは尿細管上皮細胞が多く含まれているかの指標とすることもできる。
【００８８】
また、上記実施の形態では、第２スキャッタグラムの横軸は前方散乱光信号の幅（ＦＳＣＷ）とされたが、これに限らず、粒子の大きさを反映する特徴パラメータであれば良い。たとえば、横軸は、前方散乱光信号のピーク値（ＦＳＣＰ）や前方散乱光信号の面積（ＦＳＣＡ）であっても良い。この場合、横軸の特徴パラメータとして、ＦＳＣＷ、ＦＳＣＰ、ＦＳＣＡの何れを用いるかは、測定試料に照射されるレーザ光のビームスポットの大きさ、フローセル２０５内を流れる測定試料の速度、アナログ信号処理回路２４１の増幅度などによって適宜設定され得る。
【００８９】
また、上記実施の形態では、粒子の大きさを反映する特徴パラメータは、光学検出部２３において検出された前方散乱光信号に基づいて生成されたが、これに限らず、測定装置２内に別途設けられた電気抵抗式の検出器によって検出された信号に基づいて生成されるようにしても良い。
【００９０】
また、上記実施の形態では、半導体レーザ２０１から出射されるレーザ光の偏光方向が、フローセル２０５内を流れる測定試料の流れ方向に平行となるよう、測定装置２内に半導体レーザ２０１が設置された。しかしながら、これに限らず、半導体レーザ２０１の出射側に１／２波長板を配置し、光軸を中心とする１／２波長板の回転位置を調整することにより、半導体レーザ２０１から出射されるレーザ光の偏光方向が、フローセル２０５内を流れる測定試料の流れ方向に平行となるようにしても良い。
【００９１】
また、上記実施の形態では、領域Ａ１１、Ａ１２、Ａ２１〜Ａ２３は、あらかじめ決められた固定領域であったが、これに限らず、固定領域に基づいて適宜微調整された領域であっても良い。また、領域Ａ１１、Ａ１２、Ａ２１〜Ａ２３の位置、形状は、必ずしも、図７（ａ）、（ｂ）に示すものに限られず、扁平上皮細胞と、尿細管上皮細胞と、卵円形脂肪体を精度よく抽出可能な位置および形状に適宜調整され得る。
【００９２】
図９（ａ）、（ｂ）は、第２スキャッタグラムに設定される領域Ａ２１〜Ａ２３の変更例を示す図である。上記実施の形態における３つの領域の交点をＣとすると、領域Ａ２１、Ａ２３の境界線は、図９（ａ）では交点Ｃから右方向に延びた線とされ、図９（ｂ）では交点Ｃから右上方向に延びた線とされる。図９（ａ）、（ｂ）に示す場合も、上記実施の形態と同様、ＰＳＳＣＡの値が大きい領域に分布する卵円形脂肪体が領域Ａ２３に含まれ、ＦＳＣＷの値が大きい領域に分布する扁平上皮細胞が領域Ａ２１に含まれ、ＰＳＳＣＡとＦＳＣＷの値が小さい領域に分布する尿細管上皮細胞が、領域Ａ２２に含まれるようになる。
【００９３】
また、光学系の構成は、必ずしも、図３に示す構成に限られるものではなく、上皮細胞の成分に基づく旋光性の度合いに基づいて上皮細胞の種類を判定するための特徴パラメータを取得可能な構成であれば良い。たとえば、偏光フィルタ２１４の透過偏光方向は、必ずしもＸ軸方向に平行でなくとも良く、各上皮細胞の旋光性を類別可能な範囲で、Ｘ軸方向から傾いていても良い。
【００９４】
また、上記実施の形態では検体として尿を用いたが、上皮細胞を含む限りにおいて、検体の種類は特に限定されない。たとえば、上皮細胞として子宮頚部細胞を含む検体を測定・分析する方法に本発明を適用してもよい。
【００９５】
この他、本発明の実施の形態は、特許請求の範囲に示された技術的思想の範囲内において、適宜、種々の変更が可能である。
【符号の説明】
【００９６】
１  …  尿検体分析装置（検体分析装置）
３  …  情報処理装置（解析部）
２２  …  試料調製部
２０１  …  半導体レーザ（照射ユニット）
２０５  …  フローセル
２０９  …  フォトダイオード（他の検出部）
２１４  …  偏光フィルタ
２１５  …  フォトマルチプライヤ（検出部）
【図１】
2015049066.tif 000003
【図２】
2015049066.tif 000004
【図３】
2015049066.tif 000005
【図４】
2015049066.tif 000006
【図５】
2015049066.tif 000007
【図６】
2015049066.tif 000008
【図９】
2015049066.tif 000009
【図７】
2015049066.tif 000010
【図８】
2015049066.tif 000011